【事件の表示】
　上記当事者間の特許第２７８６０１９号発明「装飾用電灯」の特許無効審判事件について、次のとおり審決する。
【結　論】
　特許第２７８６０１９号の請求項１に係る発明についての特許を無効とする。
　審判費用は、被請求人の負担とする。
【理　由】
１．手続の経緯
　平成　３年　２月１４日　　出願
　平成１０年　５月２９日　　設定登録（特許第２７８６０１９号）
　平成１３年１０月２６日　　審判請求（２００１年無効審判第３５４７８号）
　平成１４年　１月２４日　　答弁書提出
　平成１４年　４月２５日　　口頭審理、以後書面審理
　
２．本件発明
　本件特許第２７８６０１９号の請求項１に係る発明は、特許明細書及び図面の記載からみて、その特許請求の範囲の請求項１に記載された次のとおりのものである。
　
「Ａ）電球と、当該電球を支持する支持部と、軸方向一端に前記支持部を装着する解放部を有するソケット本体とを備え、前記解放部の奥には前記電球 のリード線に導通する一対の端子板が組み付けられた装飾用電灯において、
Ｂ）前記解放部はソケット本体の軸方向一端側が円筒部に形成され、
Ｃ）前記支持部は前記円筒部に嵌合する円柱部と、この円柱部から当該円柱部と同軸に突出し、かつ前記支持部に支持された電球のリード線を先端面から突出させる貫通孔が形成された角柱部とを有し、
Ｄ）前記円柱部の外面は若干のテーパー度を有する先端先細り形状とされ、前記角柱部の両側面は前記円柱部の外面よりも若干大きなテーパー度を有する先端先細り形状とされ、
Ｅ）前記角柱部の前記両側面の先端には当該角柱部の前記両側面よりも大きなテーパー度を有する面取り部がそれぞれ形成され、
Ｆ）各面取り部には、前記貫通孔から突出する電球のリード線を角柱部の前記両側面側に折り曲げて案内し、かつ前記電球のリード線の折り曲げ部が没するような案内溝がそれぞれ形成されており、
Ｇ）さらに、前記角柱部の貫通孔の先端開口には該先端開口付近のみを２分する縦板状の隔壁が形成されていることを特徴とする
Ｈ）装飾用電灯。」（以下、「本件発明」という。）
　
　なお、符号Ａ）〜Ｈ）は、当審において、構成要件を文節ごとに分け、文節ごとに便宜上付したものである。
 
３．請求人が申し立てた無効理由及び当事者の主張
　
３−１．請求人　日本電球協同組合、株式会社ドウシシャ、フア　イエ　エンタープライズ　カンパニー　リミテッドが主張する無効理由
　
　本件特許の請求項１に係る発明は、甲第１ないし４号証に記載された発明に基づいて当業者が容易に発明をすることができたものであり、特許法第２９条第２項の規定により特許を受けることができないものであるから、その特許は同法第１２３条第１項第２号の規定により無効とすべきものであると主張し、証拠方法として、下記の甲第１〜７号証及び参考資料１〜６を提出している。
　
  甲第１号証：特開昭５５−１３３７７８号公報
  甲第２号証：米国特許第４８０３３９６号明細書
　甲第３号証：実公昭６１−６５６４号公報
　甲第４号証：実公昭４４−９０３１号公報
　甲第５号証：甲第２号証の訳文
　甲第６号証：実願昭６１−１８３２０２号（実開昭６３−８７７９２号）のマイクロフィルム
　甲第７号証：実願昭５３−００１１４６号（実開昭５４−１０６０８６号）のマイクロフィルム
　参考資料１：特開昭５４−２７６４９号公報
　参考資料２：特開昭６０−８００９６号公報
　参考資料３：特開昭５１−４６２３号公報
　参考資料４：特開昭６４−７１６３９号公報
　参考資料５：特開昭４９−１２９０５３号公報
　参考資料６：ＪＩＳ　切削加工品の面取り及び丸み　ＪＩＳ　Ｂ　０７０１
　
３−２．請求人（日本電球協同組合、株式会社ドウシシャ、フア　イエ　エンタープライズ　カンパニー　リミテッド）の主張の概要
　
　本件発明と甲第２号証記載の発明とを対比すると、両者は構成要件Ａ）、Ｂ）、Ｃ）、Ｇ）、Ｈ）の点で一致し、甲第２号証には構成要件Ｄ）、Ｅ）、Ｆ）が備わっていない点（相違点１，２，３）で相違する。
　
相違点１について（構成要件Ｄ）；甲第２号証記載の発明では、ノーズ部３４の両側面にテーパがついていない。したがって、ノーズ部３４の両側面はボディ３２の外面よりも若干大きなテーパ度を有するとは言えない。（第１回口頭審理調書）
　しかし、角柱部の両側面を円柱部の外面よりも若干大きなテーパー度を有する先端先細り形状とすることは、甲第３〜４号証及び参考資料１〜５に記載されているように周知であり、当業者が容易になし得る程度の事項である。（平成１４年３月２６日付け口頭審理陳述要領書第４頁、平成１４年５月１７日付け上申書第２〜５頁）
　
相違点２について（構成要件Ｅ）；甲第２号証記載の発明では、ノーズ部３４の両側面の先端に面取り部があるとは言えない。（第１回口頭審理調書）
　しかし、角柱部の両側面の先端には当該角柱部の両側面よりも大きなテーパー度を有する面取り部を形成することは、甲第６〜７号証及び参考資料６に記載されているように周知であり、当業者が容易になし得る程度の事項である。（平成１４年３月２６日付け口頭審理陳述要領書第４〜５頁、平成１４年５月１７日付け上申書第５〜６頁）
　
相違点３について（構成要件Ｆ）；甲第２号証記載の発明では、ノーズ部３４の両側面に案内溝があるものの、この案内溝にはリード線が没していない。（第１回口頭審理調書）
　しかし、案内溝を、リード線の折り曲げ部が没するようにすることは、甲第１号証記載の凸条７に形成したリード線引出し溝８から当業者が容易に行い得ることである。（平成１４年３月２６日付け口頭審理陳述要領書第５頁）
　
　したがって、本件発明は、甲第１ないし７号証に記載された発明及び参考資料１ないし６に記載された周知技術に基づいて当業者が容易に発明をすることができたものである。
　
３−３．被請求人（コロナ産業株式会社）の主張の概要
　
　本件発明と甲第２号証記載の発明とを対比すると、両者は構成要件Ａ）、Ｂ）、Ｈ）の点で一致し、甲第２号証には構成要件Ｃ）、Ｄ）、Ｅ）、Ｆ）、Ｇ）が備わっていない点（相違点０，１，２，３，４）で相違する。
　
 相違点０について（構成要件Ｃ）；甲第２号証記載の発明では、ノーズ部３４は角柱ではない。（平成１４年３月２８日付け口頭審理陳述要領書第２〜３頁、平成１４年７月１１日付け上申書第４〜６頁）
　また請求人は、ノーズ部３４が円筒周面形状であるとしても、甲第３号証や甲第４号証は、ノーズ部３４に対応する部分として四角柱状や四角錐部を開示している旨主張するが、これら四角形状や四角錐部が、支持部の挿入の容易さ、抜けにくさ、リード線の保護といった効果を奏することを開示も示唆もしていない。（平成１４年７月１１日付け上申書第６頁）
　
相違点１について（構成要件Ｄ）；甲第２号証記載の発明では、ノーズ部３４の両側面にテーパがついていない。したがって、ノーズ部３４の両側面はボディ３２の外面よりも若干大きなテーパ度を有するとは言えない。（第１回口頭審理調書）
　参考資料１〜５に開示された技術は、装飾用電灯とは技術分野を異にするものであり、これらの技術を装飾用電灯に採用することは、当業者が容易になし得ることとはいえない。（平成１４年７月１１日付け上申書第２〜３頁）
　
相違点２について（構成要件Ｅ）；甲第２号証記載の発明では、ノーズ部３４の両側面の先端に面取り部があるとは言えない。（第１回口頭審理調書）
　甲第６〜７号証は、アールを示しているが、大きなテーパ度を有する面取り部を示していない。参考資料６は、面取りを開示しているにしても、装飾用電灯とは技術分野を異にするものである。（平成１４年７月１１日付け上申書第３頁）
　
相違点３について（構成要件Ｆ）；甲第２号証記載の発明では、ノーズ部３４の両側面に案内溝があるものの、この案内溝にはリード線が没していない。（第１回口頭審理調書）
　
相違点４について（構成要件Ｇ）；甲第２号証記載の発明では、Ｆｉｇ．２のハッチング部分は、縦板状の隔壁とは認定できない。（平成１４年３月２８日付け口頭審理陳述要領書第４〜６頁、平成１４年７月１１日付け上申書第６頁）
　
　したがって、本件発明は、甲第１ないし７号証に記載された発明及び参考資料１ないし６に記載された周知技術に基づいて当業者が容易に想到し得た発明ではない。
　
４．甲第１ないし４及び参考資料６に記載の発明
　
　甲第１号証（特開昭５５−１３３７７８号公報）には、次の事項が図面とともに記載されている。
　
「電球を受け入れるための凹部３と、ソケット内に嵌入されるソケット嵌入部４と、電球のリード線を挿通するためのリード線挿通孔５を有する電球支持体１において、その電球支持体１のリード線引出し側端面にはリード線の直径よりも大なる高さの凸条７を形成すると共に、この凸条の２個所にはリード線引出し溝８を形成し、更にこのリード線引出し溝８とソケット嵌入部４の外周面とを結ぶ角部にはテーパ９に形成したことを特徴とする小形装飾電灯の電球支持体。」（特許請求の範囲）
　
「従来のこの種の電球支持体は第１図に示す如く構成されている。即ち電球支持体ａは電球ｂを受け入れるための凹部ｃと、ソケットｄ内に嵌入される嵌入部ｅと、その嵌入部ｅ内に電球のリード線ｆを挿通するためのリード線挿通孔ｇを有しているものであって、その電球支持体ａに電球ｂを支持せしめるには、その電球ｂのリード線ｆをリード線挿通孔ｇ内に挿通し、更にそのリード線挿通孔ｇより突き出たリード線ｆの先端部は嵌入部ｅの外側面に沿ってＬ字状に屈折し、その屈折されたリード線ｆの先端がソケットｄ内に内装した端子板ｈと接触されるようになっている。しかしながらその電球支持体ａにおけるリード線ｆはＬ字状に、即ち直角に折り曲げられていることから、この屈曲部の強度が弱く、この折り曲げ部が折損しやすい欠点があった。
　また従来の構造では電球支持体ａをソケットｄ内にセットした時、リード線ｆの折り曲げ部が、ソケットｄの内底面ｉと当接するために、その電球支持体ａをソケットｄ内に繰返し嵌入することによって、その衝突力で屈曲げ部が折損し、端子板ｈとの接触が断たれる等の欠点があった。
　本発明はかかる欠点を解消するためになされたものでリード線の直角折り曲げを可及的に防ぎ、更にはリード線とソケット内底面との当接を防いで、該リード線の折損事故を末然に防止しようとするものである。」（１頁左下欄１８行〜２頁左上欄４行）
　
「１は電球支持体を示し・・・電球支持体１の略下半部には外径が小径となるソケット嵌入部４に形成されている。５は電球２より引き出されたリード線６を挿通するために、その電球支持体１の上下方向に貫通形成せしめたリード線挿通孔である。更にその電球支持体１の底面周囲にはリード線６の直径幅よりも大なる高さの凸条７が形成されているが、この凸条７の２個所には、リード線引出し溝８が形成されている。更にこの溝８面とソケット嵌入部４の外周面とを結ぶ角部はテーパ９に形成し、リード線６の直角曲げを防いでいるものである。」（２頁左上欄７〜２０行）
　
「以上述べたように本発明は、ソケット嵌入部４のリード線引出側端面に、そのソケット嵌入部より引出されたリード線がソケット等の部材に当接されて、該リード線の損傷を起すことを防ぐための凸条７を形成し、更にそのソケット嵌入部より引出されたリード線が直角に折り曲げられることを防ぐために、リード線ガイド溝をテーパに形成したものであるから、本発明によれば、その電球支持体より引出されたリード線の切断、あるいは損傷等が防止され耐久性ある電球支持体が提供されるものである。」（２頁右上欄１〜１１行）
　
「４．図面の簡単な説明　　第１図は従来の小型装飾電灯を示した半裁断面図、第２図は本発明よりなる実施例の電球支持体のみを示した半裁断面図、第３図はその底面図である。」（２頁右上欄１２〜１６行）
　
（図面の記載事項）
　
第１図は、従来例に関するものであって、第１図には、電球支持体ａは上から順に同軸の大径部、中径部、小径部（嵌入部ｅ）からなり、大径部、中径部、小径部（嵌入部ｅ）の各部の径は一定に描かれており、小径部（嵌入部ｅ）の外周に沿って屈折されたリード線ｆがソケットｄ内に内装された端子板ｈと接触し、中径部の外周がソケットｄの内底面ｉと接触していることがみてとれる。
　
  第２図は、本発明の実施例に関するものであって、第２図には、電球支持体１は、第１図の電球支持体ａと同様に上から順に同軸の大径部、中径部、小径部（ソケット嵌入部４）からなり、大径部、中径部、小径部（嵌入部ｅ）の各部の径は一定に描かれており、小径部（ソケット嵌入部４）先端の外周に沿って突出させた凸条７が形成されたものがみてとれる。リード線引出し溝８を通って折り曲げられたリード線６は、凸条７の先端面からリード線引出し溝８内に没するように描かれている。
　
  第３図は、その底面図であって、大径部、中径部、小径部（ソケット嵌入部４）、凸条７の輪郭が、同軸の円形に描かれている。
　
　甲第２号証（米国特許第４８０３３９６号明細書）には、次の事項が図面とともに記載されている。
　
「first,to FIG.2 it is seen that the assembly,generally,is designated by the numeral 12. It is composed of a keeper 14 which is arranged about a lightbulb 16 and its base 18 to hold it in electrical engagement in a soket member 20.
 As seen in FIGS.1 and 2, the soket is wired as at 22 and the electrical leads 26 and 27 from the filament of the lamp are turned outwardly overlying the exterior surface of the lamp base to accomodate electrical engagement as seen in FIG. 2 of the leads, with the soket interior electrical connection means indicated by the numeral 24 in FIG. 2. This is conventional in miniature Christmas lightbulb sets,for example.　
 The lamp bulb base 18 has an outer axial face 28 of a diameter 30 which is greater than the diameter of the lightbulb 16. The base structure defines a shoulder 31 and it includes an annular body portion which is of a somewhat larger diameter than leading a nose portion 34. In assembly , the annular body portion is seated within the socket with the nose portion extending depthwise into the socket and normally with the leads 26 and 27 in electrical engagement with the socket. The conventional  means are as indicated in FIG. 2, that is , with the wires 26 and 27 electrically engaging the electricalconnection means 24 of the socket.　
 Turning now to the socket 20, it is composed of a body 40 with a recess 42 sized and configured to receive the nose 34 and body 32 of the plug with the zone of juncture of the nose and as indicated by the numeral 44 normally dwelling on a seat 46 in the socket and with the nose portion extending depthwise into it so that the electrical leads are in electrical engagement in the socket as indicated in FIG.2. The lower portion 50 of the socket conventionally includes openings as indicated at 52 and 54 in FIG.2 for conductors.」（２欄４４行〜３欄１０行）
　
訳文（甲第５号証）
「Ｆｉｇ．２において、符号１２はアセンブリを示している。アセンブリ１２、ソケット２０内で電気的結合がなされている電球１６及びそのベース１８、その周りに配置されているキーパー１４からなる。
　Ｆｉｇ．１及びＦｉｇ．２に示すように、ソケットは符号２２のように電気配線され、電球のフィラメントからのリード線２６，２７はベースの外面に重なるように外側に折り曲げられ、Ｆｉｇ．２中、符号２４で示したソケット内電気的結合手段と電気的に接続される。この構成は、例えば小型クリスマス電球セットにおいて周知である。
　電球のベース１８は、電球１６の径よりも大きい直径３０の外側軸方向面２８を有する。そのベースは肩部３１を画成し、先導するノーズ部３４よりもやや大きな径を備えた環状ボディ部を有している。組立において、環状ボディ部はソケット内に配置され、上記ノーズ部がソケット内部の深さ方向に延び、常態でリード線２６，２７がソケットと電気的に接続されている。リード線２６，２７がソケットの電気的接続手段２４に接続されている従来の手段がＦｉｇ．２に示されている。
　次にソケット２０について説明すると、ソケット２０は、通常はソケットの座部４５に当接する、ボディ部３２とノーズ部３４の接合域４４をもった、当該ノーズ部３４とボディ部３２を受納する大きさと形状の受納箇所４２を有する本体４０から構成され、そのノーズ部は深さ方向に延びて、Ｆｉｇ．２の如く、ソケット内でリード線の電気的接続がなされる。ソケットの下方部分５０は、従来同様、Ｆｉｇ．２の符号５２，５４で示した導線用の開口を有する。」
　
　甲第３号証（実公昭６１−６５６４号公報）には、次の事項が図面とともに記載されている。
　
「一端が開放した中空円柱状の電球ソケット１と、この電球ソケットの開放端から挿入されて無理嵌め状態に装着される電球プラグ２とを備え、該電球プラグの前記電球ソケットに対する挿入部は若干先細りの四角柱状に形成されていて、その４つの側面のうち相対する２面が被把持部１２，１２に形成され、他の２面に電球１３の導線１１、１１がそれぞれ沿う形態で配設され、一方、前記電球ソケット１の内壁の相対向する位置には前記導線１１，１１にそれぞれ接するー対の極板７，７′が取り付けられ、該極板７，７′には電球ソケットの他端から外部へ引き出されるコード線５，５の一端がそれぞれ接続され、さらに電球ソケットの内壁には、その直径方向の相対向する位置であって、前記両極板７，７′を結ぶ直径方向の線分に対して直交する位置に把持部８，８′がそれぞれ設けられ、かつ、これら把持部８，８′は、それぞれ電球ソケット内壁から互いに向き合う方向に突出しかつ電球ソケットの軸方向に延びる突条よりなり、それら両突条の突出方向の端面が電球プラグの装着状態において前記被把持部１２，１２にそれぞれ面接触の形態で圧接するテーパ面となった構成であり、かつ当該把持部８，８′を構成する突条は、電球ソケットの直径方向に突出する寸法（突条の高さ）ｈと、電球ソケットの周方向に広がる寸法（突条の厚さ）ｔとの寸法関係がｈ＞ｔとなるように形成され、さらに電球ソケットの開放端部分には筒状周壁３ａが形成され、電球プラグ２には前記筒状周壁内にその一部分が嵌合する円柱部２ａが形成されていることを特徴とする装飾用電灯。」（１頁１欄２行〜２欄５行）
　
「この考案のソケットに好適に用いられる電球プラグの一例が第４図に示されるが、ソケット１に対する挿入部が図示例の如く先細りのほぼ四角柱状に形成されていて、その４つの側面のうち対向する２面がそれぞれ極板接触部１０，１０と、把持部８，８′に圧接する被把持部１２，１２となっている。極板接触部１０の表面付近に豆電球１３の導線１１を位置させて電球プラグ２をソケット１に挿入するとき、プラグ２の極板接触部１０，１０がソケット１の極板７，７′に接するように挿入され、これによって、極板７，７′と導線１１，１１とが導通する。」（２頁３欄４０行〜４欄７行）
　
「また、ソケット１の解放端３部分に図示例のように筒状周壁３ａを形成し、一方、プラグ２における角柱状の挿入部の上に、前記筒状周壁３ａ内にその一部が嵌合する円柱部２ａを形成しておくことにより、プラグ２はソケット１に対してさらにこの部分でも抜け止めされかつ安定的に支持される。」（２頁４欄３４行〜４０行）
　
「プラグの被把持部１２，１２がテーパ面となっており、・・・、ソケットに対するプラグの挿入操作を極めて容易にする効果がある。」（第３頁５欄２０行〜６欄７行）
　
　甲第４号証（実公昭４４−９０３１号公報）には、次の事項が図面とともに記載されている。
　
「まず、ランプホルダーは軟質合成樹脂例えばポリエステル製の円形の鍔部２と、これに続く円形の段部６と、四角錐部７よりなり、段部６には突起環１３を設け、ホルダー中心上部にはランプを挿入嵌合する孔８と、ランプ引出線９を挿通する小孔１０が孔８からホルダー下部にあけられている。小孔１０を通しホルダー下部に引き出されたランプ引出線９の末端はホルダーの四角錐部７に添つて折返される。
　次にランプソケットは、上記ランプホルダーと同様の軟質合成樹脂から成り、上記ランプホルダーの段部６、四角錐部７を挿嵌しうる受孔１５を有し、上記段部６が嵌まる円形の段部１６には上記突起１３に対応する凹環部１４を設け、四角錐部７が挿入される部分１７の相対する二面に電極板１１を配設して電源コードを夫々接触し、電源コードの他端はランプソケット下部にあけた孔より外部に引き出してある。符号１２は仕切板である。」（１頁１欄３０行〜２欄９行）
　
「又本考案において、ランプホルダーとランプソケットとはその基部において角錐部で嵌合しているため、ランプの引出線９と電極板１１とは常に同じ状態で接続し、且電極板１１は幅があるので嵌脱等により両接点が多少ずれてもその接触が不完全となることはなく、常に面接触が保たれる。」（１頁２欄２５行〜３１行）
　
「実用新案登録請求の範囲
　ランプホルダー主体を、軟質合成樹脂材料をもって、鍔部２とこれにつづく段部６と四角錐部７から構成し、ホルダー中心上部にはランプ１を挿嵌した孔８を設け、該孔８から四角錐部７を貫通して小孔１０を設け、該小孔１０を通ってランプ１の引出線９を引出し、その末端をホルダーの四角錐部７に沿って折返し、一方ランプソケット主体を軟質合成樹脂材料をもって、上記ランプボルダーの段部６、四角錐部７が挿嵌しうる受孔１５から構成し、該受孔１５内の上記角錐部７が挿入される部分１７の相対する二面に電極板１１、１１を配設して電源コード４、４を夫々接続し、電源コードの他端はランプソケットより外部に引き出し、上記ランプホルダーの段部６に突起環１３を設け、上記ランプソケットの受孔１５内の段部１６に上記突起環１３に適合する凹環部１４を設けて成るクリスマス用ランプの取付装置。」（１頁２欄３３行〜２頁４欄３行）
　
　参考資料６（ＪＩＳ　切削加工品の面取り及び丸み　ＪＩＳ　Ｂ　０７０１）には、次の事項が図面とともに記載されている。
　
「（３）面取りの角度は４５°だけとする。」（解２−６行）
　
「６．一般の面取り及び丸みの機能　面取り及び丸みに機能を考慮すると、厳密ではないが次のように分けられる。
　（１）安全及び組立作業上の考慮によるもの――人及び他の部品を傷つけないためのもの、はめあい部品（軸とスリーブ、シャンクとソケットなど）の角のように組立てを容易にする案内となるもの、圧入部品の角のようにかじりを防ぐもの、滑弁の角のように引っ掛かりを防ぐものなどがある。」（解２−２３行〜２６行）
　
５．対比
　
  本件発明と甲第２号証に記載された事項を検討する。
　
（１）構成要件Ａ及びＨについて
　
　甲第２号証記載の「電球１６、ベース１８、ソケット２０、クリスマス電球セット」は、本件発明の「電球、支持部、ソケット本体、装飾用電灯」に相当し、甲第２号証記載の「リード線２６，２７、ソケット内電気的結合手段２４」は、本件発明の「リード線、端子板」に相当する。また、甲第２号証記載のソケット２０（ソケット本体に相当。）は、ベース１８（支持部に相当。）が受納箇所４２に嵌入することからみて、「軸方向一端である上端にベース１８（支持部に相当。）を装着する受納箇所４２（解放部に相当。）」を有しており、受納箇所４２（解放部に相当。）の奥に一対のソケット内電気的結合手段２４（端子板に相当。）が組み付けられていることも、甲第２号証のＦＩＧ．２から明らかである。
　
（２）構成要件Ｂについて
　
　（１）で述べたように、甲第２号証記載の受納箇所４２（解放部に相当。）には、ソケット２０（ソケット本体に相当。）の軸方向一端である上端にベース１８（支持部に相当。）が装着され、ＦＩＧ．３には、ベース１８（支持部に相当。）の上面が円形として描かれていることから、「受納箇所４２（解放部に相当。）はソケット２０（ソケット本体に相当。）の軸方向一端部が円筒部に形成されている」ことは明らかである。
　
（３）構成要件Ｃについて
　
　甲第２号証記載の「ボディ３２」は、ソケット２０（ソケット本体に相当。）の軸方向一端部である円筒部に嵌合するものであることがＦＩＧ．２から明らかであるから、本件発明の「円柱部」に相当する。
　また、甲第２号証記載のボディ３２（円柱部に相当。）から当該ボディ３２（円柱部に相当。）と同軸に突出された「突出部」であるノーズ３４には、電球１６（電球に相当。）のリード線２６、２７（リード線に相当。）を先端面から突出させる貫通孔が形成されていることがＦＩＧ．２から見てとれる。
　ただし、「突出部」であるノーズ３４が「角柱」であるかどうかは明らかではない。
　
（４）構成要件Ｄについて
　
　甲第２号証記載のボディ３２（円柱部に相当。）の外面は、若干のテーパ度を有する先端先細り形状とされていることが、ＦＩＧ．１、ＦＩＧ．２から見てとれる。
　甲第２号証記載の「突出部」であるノーズ３４の両側面は、ＦＩＧ．２からみて、ボディ３２（円柱部に相当。）の外面よりも細い形状とされているが、テーパ度を有する先端先細り形状とはされていないと認められる。
　
（５）構成要件Ｅについて
　
　甲第２号証記載の「突出部」であるノーズ３４の両側面の先端には、ＦＩＧ．２を参照しても、面取り部が形成されているとは認められない。
　
（６）構成要件Ｆについて
　
　甲第２号証記載のリード線２６，２７（リード線に相当。）をノーズ３４の両側面側に折り曲げて案内する案内溝が形成されていることが、ＦＩＧ．１、ＦＩＧ．２から見てとれる。
　ただし、案内溝は、電球１６（電球に相当。）のリード線２６，２７（リード線に相当。）の折り曲げ部が没するような深さのものではない。
　
（７）構成要件Ｇについて
　
　甲第２号証記載のノーズ３４の貫通孔の先端開口には該先端開口付近のみを２分するハッチング部分が形成されていることが、ＦＩＧ．２から見てとれる。
　ただし、ハッチング部分が縦板状の隔壁かどうかは明らかではない。
　
　上記（１）〜（７）の考察から、甲第２号証には、
　
【甲第２号証に記載された発明】
　
「電球１６（電球に相当。）と、当該電球１６（電球に相当。）を支持するベース１８（支持部に相当。）と、軸方向一端に前記ベース１８（支持部に相当。）を装着する受納箇所４２（解放部に相当。）を有するソケット２０（ソケット本体に相当。）とを備え、前記受納箇所４２（解放部に相当。）の奥には前記電球１６（電球に相当。）のリード線２６，２７（リード線に相当。）に導通する一対のソケット内電気的結合手段２４（端子板に相当。）が組み付けられたクリスマス電球セット（装飾用電灯に相当。）において、
　前記受納箇所４２（解放部に相当。）はソケット２０（ソケット本体に相当。）の軸方向一端部が円筒部に形成され、
　前記ベース１８（支持部に相当。）は前記円筒部に嵌合するボディ３２（円柱部に相当。）と、このボディ３２（円柱部に相当。）から当該ボディ３２（円柱部に相当。）と同軸に突出し、かつ前記ベース１８（支持部に相当。）に支持された電球１６（電球に相当。）のリード線２６，２７（リード線に相当。）を先端面から突出させる貫通孔が形成された
突出部
　前記ボディ３２（円柱部に相当。）の外面は若干のテーパー度を有する先端先細り形状とされ、前記
突出部
細い形状
　
　前記
突出部
突出部
　さらに、前記
突出部
部分
装飾用電灯」
　
が記載されていると認められる。
　
　そこで、本件発明と【甲第２号証に記載された発明】とを対比すると、両者は、
　
【一致点】
「電球と、当該電球を支持する支持部と、軸方向一端に前記支持部を装着する解放部を有するソケット本体とを備え、前記解放部の奥には前記電球のリード線に導通する一対の端子板が組み付けられた装飾用電灯において、
　前記解放部はソケット本体の軸方向一端側が円筒部に形成され、
　前記支持部は前記円筒部に嵌合する円柱部と、この円柱部から当該円柱部と同軸に突出し、かつ前記支持部に支持された電球のリード線を先端面から突出させる貫通孔が形成された
突出部
　前記円柱部の外面は若干のテーパー度を有する先端先細り形状とされ、前記
突出部
細い形状
　
　前記
突出部
突出部
　さらに、前記
突出部
部分
装飾用電灯」
　
で一致し、次の点で相違する。
　
【相違点０】（構成要件Ｃについて）
【本件発明】では、突出部が角柱であるのに対して、
【甲第２号証に記載された発明】では、ノーズ３４（突出部に相当。）が角柱であるどうか明らかでない点。
　
【相違点１】（構成要件Ｄについて）
【本件発明】では、突出部の両側面は円柱部の外面よりも若干大きなテーパー度を有する先端先細り形状とされているのに対して、
【甲第２号証に記載された発明】では、ノーズ３４（突出部に相当。）の両側面はボディ３２（円柱部に相当。）の外面よりも若干大きなテーパー度を有する先端先細り形状とされていない点。
　
【相違点２】（構成要件Ｅについて）
【本件発明】では、突出部の両側面の先端には当該突出部の前記両側面よりも大きなテーパー度を有する面取り部がそれぞれ形成されているのに対して、
【甲第２号証に記載された発明】では、ノーズ３４（突出部に相当。）の両側面の先端には面取り部は形成されていない点。
　
【相違点３】（構成要件Ｆについて）
【本件発明】では、案内溝が、電球のリード線の折り曲げ部が没する深さのものであるのに対して、
【甲第２号証に記載された発明】では、案内溝が、電球１６のリード線２６，２７の折り曲げ部が没する深さのものではない点。
 
【相違点４】（構成要件Ｇについて）
【本件発明】では、
突出部
部分
【甲第２号証に記載された発明】では、ハッチング部分（
突出部
部分
 　
６．相違点の判断
　
相違点０について
　
　甲第３号証には、「ソケット１に対する挿入部が図示例の如く先細りのほぼ四角柱状に形成されていて、」（第２頁３欄４１行〜４３行）と、
　甲第４号証には、「ランプホルダーは軟質合成樹脂例えばポリエステル製の円形の鍔部２と、これに続く円形の段部８と、四角錐部７よりなり、」（第１頁１欄３０行〜３１行）と記載されているように、突出部を角柱状にすることは周知であって、甲第２号証記載のノーズ３４の形状を角柱状にすることは当業者が容易になし得る事項である。 
 
相違点１について
　
　甲第３号証には、「電球プラグの前記電球ソケットに対する挿入部は若干先細りの四角柱状に形成されていて」（第１頁１欄５行〜６行）、「プラグの把持部１２，１２がテーパ面となっており、・・・、ソケットに対するプラグの挿入操作を極めて容易にする効果がある。」（第３頁５欄２０行〜６欄７行）と、
　甲第４号証には、「四角錐部７」、「又本考案において、ランプホルダーとランプソケットとはその基部において角錐部で嵌合しているため、ランプの引出線９と電極板１１とは常に同じ状態で接続し、且電極板１１は幅があるので嵌脱等により両接点が多少ずれてもその接触が不完全となることはなく、常に面接触が保たれる。」（１頁２欄２５行〜３１行）と記載されているように、装飾用電灯において、挿入操作の容易性、リード線と端子板との良好な接触を考慮して、突出部の両側面をテーパ度を有する先端先細り形状とすることは、従来周知であって、この点に何ら困難性は認められない。
　そして、テーパーの程度は、参考資料１に、「傾斜角度αが４５°以下で突出した係着段部２０を有し、係着段部２０の下方がテーパ状に形成され、」（第２頁左下欄第１行〜同第３行、第４図、第５図）、参考資料３に、「スリーブ（Ｃ）はその外側面（３４）にテーパを持ち、スリーブの前端（１６）に向かって狭まっている。」（第３頁右下欄第８行〜同第１０行、Ｆｉｇ．１）及び「スリーブ（Ｃ）の長さのほぼ中央位置（３５）から始まり後端部（３６）まで続くスリーブ（Ｃ）のテーパは区域（３８）においてはその程度が小さい。」（第３頁右下欄第１４行〜同第１６行、Ｆｉｇ．２）、参考資料４に、「実際の心出し機能を実行する第１の円錐端部部分２４は、例えば角αが約８°の比較的小さい円錐角を有する。一方、位置合わせピン９の端面に隣接して配置され位置合わせピン９の対応のブッシング部材２０内への挿入を支持する第２の部材２５は、例えば角βが約４５°のより大きい円錐角を有する。」（第１０頁右上欄第１７行〜同右上欄第６行、Ｆｉｇ４）、参考資料５に、「このヘッド４５はこれより急な傾斜（たとえば９°）の短いテーパ部分４７と、小さな傾斜（たとえば３°のオーダ）の長いテーパ部分４８とを備えている。」（第６頁左上欄第８行〜同第１５行、Ｆｉｇ６）との記載があるように、先端側のテーパを若干大きくすることが周知であるから、甲第２号証記載のノーズ３４の両側面のテーパー度をボディ３２の外面よりも若干大きくすることは、当業者が容易になし得ることである。
　
相違点２について
　
　参考資料６には、一般の面取りについて、「はめあい部品（軸とスリーブ、シャンクとソケットなど）の角のように組立てを容易にする案内となるもの、圧入部品の角のようにかじりを防ぐもの、滑弁の角のように引っ掛かりを防ぐものなどがある。」（解２−２４行〜２６行）と記載されているように、面取りは雄部材の雌部材への円滑な侵入のために設けられるものであるから、甲第２号証記載のノーズ３４（突出部に相当。）の両側面の先端に面取り部を形成して、ノーズ３４の円滑な侵入を達成することは、当業者が容易になし得る事項である。
　そして、その際、参考資料６に「面取りの角度は４５°だけとする。」（解２−６行）と記載されているように、面取りの角度は普通４５°で形成されるから、面取り部がノーズ３４（突出部に相当。）の両側面よりも大きなテーパー度となることは、特別の事情がない限り、当然のことである。　
　また、参考資料２には、「本発明の実施に使用する加熱ピンは、先端の傾斜角度が１．２〜３度と小さいため、この先端部を通液管５内に挿入し易くするため、第８図に示すように、通液管端部を拡径するための傾斜面７ａの更に先端部に傾斜角の大きな傾斜面７ｂを形成しておくのが有効である。」（第４頁左上欄第１２行〜同第１７行、第７図、第８図）との記載があるように、雄部材の雌部材への円滑な侵入のために、傾斜面の先端に面取り部を形成という技術思想が存在することからしても、甲第２号証記載のノーズ３４（突出部に相当。）の両側面の先端に面取り部を形成して、ノーズ３４の円滑な侵入を達成することは、当業者が容易になし得る事項である。
　
　なお、円柱部と角柱部と面取り部とで順次テーパ度を大きくしたことによって、解放部内や端子板間への支持部の挿入を容易に行えるという効果は、上記甲第２号証及び甲第４号証そして参考資料１〜６による構成によって奏される効果であって、格別のものとは認められない。
　
相違点３について
　
　甲第１号証には、「リード線６の直径幅よりも大なる高さの凸条７が形成されているが、この凸条の２個所には、リード線引出溝８が形成されている」（第２頁左上欄１４行〜１７行）及び「ソケット嵌入部４のリード線引出側端面に、そのソケット嵌入部より引出されたリード線がソケット等の部材に当接されて、該リード線の損傷を起すことを防ぐための凸条７を形成し」（第２頁右上欄１行〜５行）と記載されている。
　上記記載中、リード線引出溝８に関する記載を第１図から第３図を参酌しながら読めば、リード線引出溝８がリード線６の折り曲げ部が没する程度に深く形成されていることは明らかであり、また、リード線６の折り曲げ部がリード線引出溝８内に没するものでないとすると、凸条７がソケット等の部材に当接するより先にリード線６の方が当接することとなって当接によるリード線の損傷を防ぐことができないことになる。
　すなわち、甲第１号証記載のものにおいてもリード線引出溝８中にリード線６が没するものであることは明らかであり、このことは第２図からも裏付けられる。
　さらに、甲第１号証記載のリード線引出溝８も、リード線６を溝内に収納する構造であるから、溝内に収納することにより収納リード線の位置ずれを起こすことがないことは明らかである。
　よって、甲第２号証記載の案内溝を、電球１６のリード線２６，２７の折り曲げ部が没する深さのものに改造する程度のことは、当業者が容易になし得る事項である。
　
相違点４について
　
　甲第２号証に記載された発明において、ノーズ３４の貫通孔の先端開口に、ハッチング部分として示される何らかのものが存在することは、ＦＩＧ．２から明らかであり、かつ、該ハッチング部分が何らかの支持を必要とすることも明らかである。
　そこで、該ハッチング部分の支持形態をＦＩＧ．２から考察すると、ハッチング部分がＦＩＧ．２の紙面に垂直な方向に延在し、ボディ３２内壁により支持されていると解するのが、ＦＩＧ．２から第１に浮かぶ自然な解釈と言うべきであり、しかも、複数のリード線のガイド穴への挿入ガイドとして縦板状の隔壁を用いることは周知
　
（例えば、本件出願前に頒布された実願昭６１−２３６０５号（実開昭６２−１５５４５４号）のマイクロフィルム（以下、刊行物という。）には、
「仕切板上に導出された前記複数のリード線の間を仕切板近くまで延在する隔壁を一体に付設したことである。
　作用
上記本考案におけるベースに付設した隔壁は、仕切板上に導出された蛍光ランプの４本のリード線のショートし易い仕切板上近くの部分の間に在って、リード線同士のショートを防止する。また、ベースのピンの真下にピンへのリード線挿通のガイド穴を有するガイド部を設け、このガイド部の下面に上述隔壁を付設すれば、この
隔壁がガイド穴へのリード線の挿入のガイド板として作用する。
隔壁（３５）はリード線（２２ａ）〜（２２ｄ）のガイド穴（２６）（２６）・・・への挿入ガイドとして利用できる。
　
であることを考慮すると、ハッチング部分の形状として、縦板状の隔壁を想到することは自然な発想と言えるものである。
　この点に関し、審判請求人は口頭審理陳述要領書において参考図Ａ，Ｂ，Ｃを提出し、ハッチング部分の（立体）形状として参考図Ａ，Ｂ，Ｃのような形状も考えられると主張しているが、確かにハッチング部分の支持形態として参考図Ａ，Ｂ，Ｃのような形状も可能性としては考えられなくもないが、ハッチング部分をそのような形状であると解する必然性があるわけではなく、かつ、そのような解釈の可能性が存在するからといって、そのことが直ちにハッチング部分の形状を上記のように解することができないものでもない。
　したがって、甲第２号証記載のハッチング部分（
突出部
部分
　
７．むすび
　
 したがって、本件特許発明は、上記甲第２号証に記載された発明、そして、甲第３，４，１号証、参考資料６及び刊行物に記載された技術的事項に基づいて当業者が容易に発明をすることができたものであるので、本件特許は特許法第２９条第２項の規定に違反してなされたものであり、同法第１２３条第１項第２号に該当し、無効とすべきものである。
　審判に関する費用については、特許法第１６９条第２項の規定で準用する民事訴訟法第６１条の規定により、被請求人が負担すべきものとする。
　よって、結論のとおり審決する。